(57)【要約】【課題】ドットマトリックス表示を利用した調理器において、ドットマトリックス表示の有する表示の自由度を利用し、ユーザーが自由に初期設定のできる調理器の液晶表示装置を提供することを目的とする。【解決手段】ドットマトリックス表示部１１を有する液晶表示部２３と、調理器１の初期設定可能情報を記憶する記憶手段５０と、初期設定可能情報から希望の初期設定内容を選択する第１の選択手段１７，１８と、初期設定可能情報を液晶表示部２３に表示させた後、第１の選択手段１７，１８からの信号に応じて初期設定内容を確定し、液晶表示部２３に表示させる制御手段２４とを有する。【選択図】  図６
2004222936.tif 000002
【特許請求の範囲】
【請求項１】
ドットマトリックス表示部を有する液晶表示部と、
調理器の初期設定可能情報を記憶する記憶手段と、
前記初期設定可能情報から希望の初期設定内容を選択する第１の選択手段と、
前記初期設定可能情報を前記液晶表示部に表示させた後、前記第１の選択手段からの信号に応じて前記初期設定内容を確定し、前記液晶表示部に表示させる制御手段とを有することを特徴とする調理器の液晶表示装置。
【請求項２】
前記初期設定可能情報を複数個有し、その中から希望の初期設定可能情報を選択する第２の選択手段をさらに有することを特徴とする請求項１に記載の調理器の液晶表示装置。
【請求項３】
少なくとも前記初期設定可能情報には省エネ保温の設定情報を含み、省エネ保温を選択した場合には保温工程を実行しないようにしたことを特徴とする請求項１または２に記載の調理器の液晶表示装置。
【請求項４】
前記初期設定可能情報に製造者等のみが利用する製造者設定情報を含み、所定のパスワードを入力した場合のみ当該製造者設定情報にアクセスできるようにしたことを特徴とする請求項１から３のいずれか１項に記載の調理器の液晶表示装置。
【発明の詳細な説明】
【０００１】
【発明の属する技術分野】
本発明は、調理器の液晶表示装置に関し、特にドットマトリックス方式を採用した液晶表示装置に関するものである。
【０００２】
【従来の技術】
一般に、液晶表示装置は、他の表示装置（ブラウン管・蛍光表示管等）に比べ、低消費電力・低動作電力と小型・軽量という利点を兼ね備えているため、例えば炊飯ジャー・電気ポット等の家電製品、パーソナルコンピュータ・携帯電話等の情報関連機器等、種々の表示パネルとして多用されている。この液晶表示装置の表示方式には、予め設定されたキャラクタ及び数字等のように比較的簡単なものを表示するセグメント表示と、Ｘ軸、Ｙ軸で表わされる座標をドットとして点灯／消灯させることによって比較的複雑な文字／記号等を表示するドットマトリックス表示とがある。
【０００３】
一方、調理器においてドットマトリックス表示を利用したものとして、操作方法をガイド表示した炊飯器がある（例えば、特許文献１参照）
【０００４】
【特許文献１】
特開２００１−１３３７５５号公報
【０００５】
【発明が解決しようとする課題】
しかしながら、炊飯器等の調理器においては、調理器特有の機能（例えば省エネ炊飯、おこげ機能の有無等）が数多く搭載されており、それらを当該調理器を使用する前にどのように設定するかは非常に重要であるにもかかわらず、今までは何ら考慮されていなかったのが現状であった。
【０００６】
そこで本発明は、ドットマトリックス表示を利用した調理器において、ドットマトリックス表示の有する表示の自由度を利用し、ユーザーが簡単に初期設定が変更できる調理器の液晶表示装置を提供することを目的とする。
【０００７】
【課題を解決するための手段】
前記課題を解決するため、本発明の調理器の液晶表示装置は、
ドットマトリックス表示部を有する液晶表示部と、
調理器の初期設定可能情報を記憶する記憶手段と、
前記初期設定可能情報から希望の初期設定内容を選択する第１の選択手段と、
前記初期設定可能情報を表示させた後、前記第１の選択手段からの出力に応じて前記初期設定内容を確定し、前記液晶表示部に表示させる制御手段を設けた構成を採用した。
【０００８】
前記調理器の液晶表示装置では、ユーザーが希望する初期設定内容を調理器が有する第１の選択手段を利用して設定することにより、液晶表示部にその選択内容が反映されて初期設定内容が表示される。したがってユーザーは簡単に初期設定内容を変更することができる。
【０００９】
前記調理器の液晶表示装置において、前記初期設定可能情報を複数個有し、その中から希望の初期設定可能情報を選択する第２の選択手段をさらに有することは、ユーザーの初期設定の自由度を向上できる点で好ましい。
【００１０】
また前記調理器の液晶表示装置において、少なくとも前記初期設定可能情報には省エネ保温の設定情報を含み、省エネ保温を選択した場合には保温工程を実行しないようにすることは、調理器の省電力化を図ることができる点で好ましい。
【００１１】
また前記調理器の液晶表示装置において、前記初期設定可能情報に製造者等のみが利用する製造者設定情報を含み、所定のパスワードを入力した場合のみ当該製造者設定情報にアクセスできるようにすることは、ユーザーが不用意に製造者のみが設定すべき情報にアクセスできないようにして、調理器の基本機能を保持することができる点で好ましい。
【００１２】
【発明の実施の形態】
以下、本発明の実施の形態を図面に従って説明する。
【００１３】
図１は、本発明にかかる液晶表示装置を適用した炊飯器１を示す。この炊飯器１は誘導加熱方式であり、大略、内鍋２、本体３、蓋体６からなり、本体３には加熱手段である誘導加熱コイル４、内鍋２の温度センサ５、液晶表示装置９を含む操作パネル８、及び、炊飯器１の動作を制御する制御装置２２を有し、蓋体６には蓋用温度センサ７を有している。また液晶表示装置９には、後述する液晶表示部２３を有している。なお、この炊飯器１の構造は、周知のものと同一であるため、詳細な説明は省略する。
【００１４】
前記液晶表示装置９は、図２に示すように、液晶表示部２３、本発明の制御手段であるマイコン２４、マイコン駆動回路２５、ドットマトリックス表示駆動部２６、及びバックアップ電源装置２８からなっている。
【００１５】
前記液晶表示部２３は、図３に示すように、上部にセグメント表示部１０、及び下部にドットマトリックス表示部１１を配設している。前記セグメント表示部１０には、時刻表示部１２、午前か午後かを示す表示部１３、現在時刻、予約時刻、保温時間のいずれかを表示しているかを示す状態表示部１４が設けられている。また前記ドットマトリックス表示部１１の下部には「とりけし」１５、「保温」１６、「アップ」キー１７、「ダウン」キ−１８、「メニュー」１９、「炊飯／再加熱」２０の各タッチキーが配設されている。なお、本実施例では前記「アップ」１７、「ダウン」１８キーが後述する「選択手段」を構成している。その上部は炊飯器１の各種操作手順や動作状況を表示する表示部２１である。
【００１６】
前記マイコン２４にはセグメント表示駆動部（図示せず）が内蔵されている。前記マイコン駆動回路２５は前記マイコン２４に接続されて電圧を供給し、前記マイコン２４は前記セグメント表示部１０とケーブル２７、２７を介して前記セグメント表示部１０を駆動するとともに、前記ドットマトリックス表示駆動部２６に接続され前記ドットマトリックス表示部１１を駆動する。なお前記マイコン２４と前記ドットマトリックス表示駆動部２６の接続方式は、パソコンと周辺機器の接続及び通信に使用されている方式（いわゆるシリアル通信またはパラレル通信など）が使用できる。さらに、前記ドットマトリックス表示駆動部には駆動用として、後述する電源手段２９が、前記マイコン２４には駆動用として前記２９及び後述する電源手段３６が供給されるようになっている。
【００１７】
前記マイコン駆動回路２５の構成は以下の通りである。すなわちトランジスタ３４をスイッチングさせるための電源手段（以下ＶＣＣと称す）２９がダイオード３０を通じて電解コンデンサ３１に接続され、接地されている。また前記ダイオード３０と電解コンデンサ３１の間から抵抗３２及び抵抗３３が接続され、前記抵抗３２は接地され抵抗３３はトランジスタ３４のベースに接続されている。前記トランジスタ３４のコレクタは定電圧ダイオード３５のカソード側と接続されるとともに、エミッタは接地されている。さらにマイコン２４に電圧を供給する電源手段（以下ＶＤＤと称す）３６が分圧抵抗３７、３８、３９ならびに４０、およびそれらと並列接続されたコンデンサ４１、４２ならびに４３と接続され、前記定電圧ダイオード３５のアノード側は前記抵抗３７と３８の間と接続されている。なおＶＣＣ２９およびＶＤＤ３６は、交流電源に接続される周知の直流電源回路から作られる直流電圧であり、通電時にはＶＣＣ２９ならびにＶＤＤ３６はいずれも５Ｖであるが、非通電時（停電時、商品出荷時等）にはＶＣＣ＝０Ｖとなり、ＶＤＤは電池４６からの電圧供給により、ＶＤＤ＝３Ｖとなる。
【００１８】
前記バックアップ電源装置２８は、図２に示すように、３Ｖの電池４６、抵抗２４に電圧を供給する。
【００１９】
さらに、前記マイコン２４には後述する初期設定内容をユーザーが選択できる選択手段（前述の「アップ」キー１７及び「ダウン」キー１８）が接続されており、マイコン２４内の記憶手段５０に記憶された初期設定可能情報（後述する各種の設定処理情報）をドットマトリックス表示部１１に表示した後、当該選択手段からの出力信号に応じて、初期設定内容を確定し、その結果をドットマトリックス表示部１１に表示するようになっている。また、前記マイコン２４内の記憶手段５０には、予め種々の炊飯工程も記憶されており、ユーザーのキー操作によって所定の炊飯処理を行うようになっているが、その詳細については省略する。
【００２０】
次に、炊飯器１のマイコン２４による具体的な初期設定動作について説明する。ユーザーは、炊飯器１においてまず前記「アップ」キー１７及び「ダウン」キー１８を同時に押す。
【００２１】
そして、前記操作を検出したマイコン２４は、図４に示すように、まず、ステップＳ１で、初期設定モードを起動してステップＳ２に進む。
【００２２】
ステップＳ２では、ユーザーが設定可能な内容を前記ドットマトリックス表示部１１に表示するよう信号を出力する。するとドットマトリックス表示部１１には図５に示すように、「１．省エネ炊飯設定」「２．省エネ保温設定」「３．ファンＯＮ／ＯＦＦ設定」「４．おこげ設定」「５．メロディ設定」「６．液晶濃淡設定」「７．ガイドＯＮ／ＯＦＦ設定」「８．サイレント設定」及び「９．メーカー設定」の９種類の設定内容が表示されてステップＳ３に進む。ここで表示される情報が本発明における「初期設定可能情報」を構成する。
【００２３】
ここで、省エネ炊飯設定とは、炊飯時に省エネモードで炊飯を行うか（さらに具体的には炊飯時の電力を通常モードの約半分で行うか）、通常モードで炊飯を行うかを設定するものである。省エネ保温モード設定とは、炊飯終了後保温を行うか行わないかを設定するものである。ファンＯＮ／ＯＦＦ設定とは、保温時に米飯冷却のためのファン（図示せず）を駆動するかしないかを設定するものである。おこげ設定とは、炊飯時におこげをつけるか否かを設定するものである。メロディ設定とは、炊飯完了時等にどのようなメロディで報知するかを設定するものである。液晶濃淡設定とは、ドットマトリックス表示１１の濃淡を設定するものである。ガイドＯＮ／ＯＦＦ設定とは、操作ガイドの表示をするか否かを設定するものである。サイレント設定とは、報知を鳴らすか否かを設定するものである。メーカー設定とは、製造者側のみが操作できる設定である。
【００２４】
ステップＳ３ではユーザーがどの設定を選択するかを待機する。ユーザーが入力する選択番号Ｉの初期値は１であり、「アップ」キー１７を押すとＩが順次インクリメントされ、「ダウン」キー１８を押すとＩが順次デクリメントされる。こうしてユーザーがＩの値を入力し、確定するとＩの値に応じて対応するステップＳ４からＳ１２に進む。
【００２５】
ステップＳ４では、入力値Ｉが１か否かを判別し、１の場合はステップＳ１３に進んで後述する省エネ炊飯設定処理を行なった後、リターンする。それ以外の場合はステップＳ５に進む。
【００２６】
ステップＳ５では、入力値Ｉが２か否かを判別し、２の場合はステップＳ１４に進んで後述する省エネ保温設定処理を行なった後、リターンする。それ以外の場合はステップＳ６に進む。
【００２７】
ステップＳ６では、入力値Ｉが３か否かを判別し、３の場合はステップＳ１５に進んで後述するファンＯＮ／ＯＦＦ設定処理を行なった後、リターンする。それ以外の場合はステップＳ７に進む。
【００２８】
ステップＳ７では、入力値Ｉが４か否かを判別し、４の場合はステップＳ１６に進んでおこげ設定処理を行なった後、リターンする。それ以外の場合はステップＳ８に進む。
【００２９】
ステップＳ８では、入力値Ｉが５か否かを判別し、５の場合はステップＳ１７に進んでメロディ設定処理を行なった後、リターンする。それ以外の場合はステップＳ９に進む。
【００３０】
ステップＳ９では、入力値Ｉが６か否かを判別し、６の場合はステップＳ１８に進んで液晶濃淡設定処理を行なった後、リターンする。それ以外の場合はステップＳ１０に進む。
【００３１】
ステップＳ１０では、入力値Ｉが７か否かを判別し、７の場合はステップＳ１９に進んでガイドＯＮ／ＯＦＦ設定処理を行なった後、リターンする。それ以外の場合はステップＳ１１に進む。
【００３２】
ステップＳ１１では、入力値Ｉが８か否かを判別し、８の場合はステップＳ２０に進んでサイレント設定処理を行なった後、リターンする。それ以外の場合はステップＳ１２に進む。
【００３３】
ステップＳ１２では、入力値Ｉが９か否かを判別し、９の場合はステップＳ２１に進んで後述するメーカー設定処理を行なった後、リターンする。それ以外の場合はステップＳ４に戻る。
【００３４】
このように、本発明ではユーザーが選択手段によって調理器である炊飯器の初期設定内容を簡単に変更することができ、利便性が向上する。
【００３５】
次に、前記ステップＳ１３の省エネ炊飯設定処理について説明する。
省エネ炊飯設定処理では、図６に示すように、まずステップＳ１０１で、図７に示すような省エネ炊飯の設定画面をドットマトリックス表示部１１に表示する。そしてユーザーは省エネ炊飯を行なうか否かを「アップ」キー１７または「ダウン」キー１８を用いて選択する。本実施例では「アップ」キーを押すと省エネ炊飯「ＯＮ」を、「ダウン」キー１８を押すと省エネ炊飯「ＯＦＦ」を選択できる。そしてステップＳ１０２ではユーザーが上記選択を行なったか、すなわちキー入力があったか否かを判別し、入力があればステップＳ１０３へ進み、なければ待機する。なお、省エネ炊飯「ＯＮ」が選択されればフラグＦａが０、省エネ炊飯「ＯＦＦ」が選択されればフラグＦａが１となるように設定されている。
【００３６】
ステップＳ１０３では、省エネ炊飯設定のＯＮ、ＯＦＦを示すフラグＦａが０か否かを判別する。０であればステップＳ１０４に進んで省エネ炊飯設定を行なってステップＳ１０６に進み、それ以外の場合はステップＳ１０５に進んで省エネ炊飯を行わない通常炊飯を設定してステップＳ１０６に進む。
【００３７】
ステップＳ１０６では、図８に示すように、ドットマトリックス表示部１１にユーザーが選択した設定を確定した旨の表示を行い、リターンする。
【００３８】
次に、前記ステップＳ１４の省エネ保温設定処理について説明する。
省エネ保温設定処理では、図９に示すように、まずステップＳ２０１で、図１０に示すような省エネ保温の設定画面をドットマトリックス表示部１１に表示する。そしてユーザーは省エネ保温を行なうか否かを「アップ」キー１７または「ダウン」キー１８を用いて選択する。本実施例では「アップ」キーを押すと省エネ保温「ＯＮ」を、「ダウン」キー１８を押すと省エネ保温「ＯＦＦ」を選択できる。そしてステップＳ２０２ではユーザーが上記選択を行なったか、すなわちキー入力があったか否かを判別し、入力があればステップＳ２０３へ進み、なければ待機する。なお、省エネ保温「ＯＮ」が選択されればフラグＦｂが０、省エネ保温「ＯＦＦ」が選択されればフラグＦｂが１となるように設定されている。
【００３９】
ステップＳ２０３では、省エネ保温設定のＯＮ、ＯＦＦを示すフラグＦｂが０か否かを判別する。０であればステップＳ２０４に進んで省エネ保温設定を行なってステップＳ２０６に進み、それ以外の場合はステップＳ２０５に進んで省エネ保温を行わない通常保温を設定してステップＳ２０６に進む。ここで、省エネ保温設定を「ＯＮ」にした場合は、炊飯終了後保温工程を行なわず取消状態（マイコン２４及び液晶表示部のみが動作している状態）に移行する。
【００４０】
ステップＳ２０６では、図１１に示すように、ドットマトリックス表示部１１にユーザーが選択した設定を確定した旨の表示を行い、リターンする。
【００４１】
次に、前記ステップＳ１５のファンＯＮ／ＯＦＦ設定処理について説明する。
ファンＯＮ／ＯＦＦ設定処理では、図１２に示すように、まずステップＳ３０１で、図１３に示すようなファンＯＮ／ＯＦＦの設定画面をドットマトリックス表示部１１に表示する。そしてユーザーはファンをＯＮするか否かを「アップ」キー１７または「ダウン」キー１８を用いて選択する。本実施例では「アップ」キーを押すとファン「ＯＮ」を、「ダウン」キー１８を押すとファン「ＯＦＦ」を選択できる。そしてステップＳ３０２ではユーザーが上記選択を行なったか、すなわちキー入力があったか否かを判別し、入力があればステップＳ３０３へ進み、なければ待機する。なお、ファン「ＯＮ」が選択されればフラグＦｃが０、ファン「ＯＦＦ」が選択されればフラグＦｃが１となるように設定されている。
【００４２】
ステップＳ３０３では、ファンのＯＮ、ＯＦＦを示すフラグＦｃが０か否かを判別する。０であればステップＳ３０４に進んでファンＯＮ設定を行なってステップＳ３０６に進み、それ以外の場合はステップＳ３０５に進んでファンＯＦＦ設定を行なってステップＳ３０６に進む。
【００４３】
ステップＳ３０６では、図１４に示すように、ドットマトリックス表示部１１にユーザーが選択した設定を確定した旨の表示を行い、ステップＳ３０７に進んでリターンする。このように、保温時にファンを動作するか否かをユーザーが任意に設定できるため、例えば長時間保温を行なわないユーザーはファンを動作させないようにしてファンの騒音の発生を防止することができる。また保温時にファンをＯＮする場合は、図１５に示すようなピクト表示をドットマトリックス表示部１１に表示させ、ＯＦＦの場合は表示させないようにすれば、ユーザーが一目で現在ファンがＯＮしているか否かを確認できる。
【００４４】
なお、おこげ設定処理、メロディ設定処理（Ｓ１７）、液晶濃淡設定処理（Ｓ１８）、ガイドＯＮ／ＯＦＦ設定処理（Ｓ１９）、及びサイレント設定処理（Ｓ２０）についても同様に、それぞれ図１５から図１９に示すような設定表示をドットマトリックス表示部１１に表示して、ユーザーが設定可能な表示を行ない、簡単に設定変更ができるようになっている。
【００４５】
次に、前記ステップＳ２１のメーカー設定処理について説明する。
メーカー設定処理では、図２１に示すように、まずステップＳ４０１で、図２２に示すようなユーザーがパスワードを入力する画面をドットマトリックス表示部１１に表示させてステップＳ４０２に進む。
【００４６】
ステップＳ４０２では、ユーザーが表示しない入力手段（テンキーなど）でパスワードを入力したか否かを判別し、パスワードが入力されるまで待機する。そしてパスワード入力を判別した場合はステップＳ４０３に進んでパスワード入力カウンタに１を加えてステップＳ４０４に進む。
【００４７】
ステップＳ４０４では、入力されたパスワードと、予めマイコン２４に記憶された番号とが照合するかどうかを判別し、照合する場合はステップＳ４０５に進み、照合しない場合はステップＳ４０２に戻る。
【００４８】
ステップＳ４０５では、パスワード入力カウンタが３未満か否かを判別し、３未満であればステップＳ４０６に進んで各種設定設定を行うモードへ移行し、設定終了後リターンする。また３以上であればパスワード入力が不正であるとして設定をすることなくリターンする。
【００４９】
以上のように、本発明の調理器では、ユーザーが簡単に初期設定を変更することができる。また製造者側のみが設定できる内容についてはパスワードを正確に入力しないとアクセスできないようになっているため、セキュリティも充分確保できる。
【００５０】
なお、本発明は上記実施例に限定されるものではない。例えば入力手段は「アップ」１７及び「ダウン」１８以外に、「△」及び「▽」スイッチを別途設けてもよい。また設定内容も調理器の種類に応じて適宜変更してやればよい。
【００５１】
【発明の効果】
以上の説明から明らかなように、本発明の調理器では、ユーザーが簡単に初期設定の内容を変更して所望の内容にて炊飯や保温を行うことができ、かつその設定内容をドットマトリックス表示を見て簡単に確認することができる。また製造者のみが利用可能な設定内容を盛り込んだ場合においても、不用意にユーザーがアクセスできないようになっているためセキュリティも充分確保できる。
【図面の簡単な説明】
【図１】本発明に係る炊飯器の概略図である。
【図２】炊飯器の液晶表示装置を示すブロック図である。
【図３】炊飯器の液晶表示部を示す正面図である。
【図４】初期設定におけるマイコンによる制御を示すフローチャートである。
【図５】初期設定起動時の液晶表示部を示す正面図である。
【図６】省エネ炊飯設定時のマイコンによる制御を示すフローチャートである。
【図７】省エネ炊飯設定時の液晶表示部を示す正面図である。
【図８】省エネ炊飯設定確定時の液晶表示部を示す正面図である。
【図９】省エネ保温設定時のマイコンによる制御を示すフローチャートである。
【図１０】省エネ保温設定時の液晶表示部を示す正面図である。
【図１１】省エネ保温設定確定時の液晶表示部を示す正面図である。
【図１２】ファンＯＮ／ＯＦＦ設定時のマイコンによる制御を示すフローチャートである。
【図１３】ファンＯＮ／ＯＦＦ設定時の液晶表示部を示す正面図である。
【図１４】ファンＯＮ／ＯＦＦ設定確定時の液晶表示部を示す正面図である。
【図１５】ファンＯＮ時のピクト表示を示す正面図である。
【図１６】おこげ設定時の液晶表示部を示す正面図である。
【図１７】メロディ設定時の液晶表示部を示す正面図である。
【図１８】液晶濃淡設定時の液晶表示部を示す正面図である。
【図１９】ガイドＯＮ／ＯＦＦ設定時の液晶表示部を示す正面図である。
【図２０】サイレント設定時の液晶表示部を示す正面図である。
【図２１】メーカー設定時のマイコンによる制御を示すフローチャートである。
【図２２】メーカー設定時の液晶表示部を示す正面図である。
【符号の説明】
１…炊飯器、１１・・・ドットマトリックス表示部、１７・・・「アップ」キー、１８・・・「ダウン」キー、２４・・・マイコン（制御手段）、５０・・・記憶手段。
【図１】
2004222936.tif 000003
【図２】
2004222936.tif 000004
【図３】
2004222936.tif 000005
【図４】
2004222936.tif 000006
【図５】
2004222936.tif 000007
【図６】
2004222936.tif 000008
【図７】
2004222936.tif 000009
【図８】
2004222936.tif 000010
【図９】
2004222936.tif 000011
【図１０】
2004222936.tif 000012
【図１１】
2004222936.tif 000013
【図１２】
2004222936.tif 000014
【図１３】
2004222936.tif 000015
【図１４】
2004222936.tif 000016
【図１５】
2004222936.tif 000017
【図１６】
2004222936.tif 000018
【図１７】
2004222936.tif 000019
【図１８】
2004222936.tif 000020
【図１９】
2004222936.tif 000021
【図２０】
2004222936.tif 000022
【図２１】
2004222936.tif 000023
【図２２】
2004222936.tif 000024